(57)【要約】【課題】サスペンションアームからサスペンションメンバへの荷重入力に対する強度確保とサスペンションアームのサスペンションメンバへの組付時に生じる組付応力の増加防止とを両立させることができる鋳造サスペンションメンバの製造方法を得る。【解決手段】サスペンションアームの端部を支持する後側取付ベース２６の板厚を前側取付ベース２４よりも厚く設定することで、前者の剛性が後者の剛性よりも相対的に高くなっている。組付時には剛性が低い（板厚が薄い）方の前側取付ベース２４が変形するため、組付応力は小さくなる。また、荷重入力に対する強度確保は、剛性が高い（板厚が厚い）方の後側取付ベース２６が受け持つ。上記構成のサスペンションメンバを製造するにあたっては、下型６４と上型６６の鋳抜き方向を本来の抜き勾配分だけ片側（反時計方向）に振ることにより、後側取付ベース２６の外側の面２６Ｂを最初から垂直面にすることができる。【選択図】図６
2008201416.tif 000002
【特許請求の範囲】
【請求項１】
サスペンションアームの端部を挟み込むように揺動可能に締結具で取り付けるための一対の取付壁を備えた鋳造サスペンションメンバの製造方法であって、
成形型の鋳抜き方向を本来の抜き勾配分だけ片側へ振ることにより、一方の取付壁の外側の面を前記サスペンションアームの端部の取付面に対して平行にした、
ことを特徴とする鋳造サスペンションメンバの製造方法。
【発明の詳細な説明】
【技術分野】
【０００１】
本発明は、鋳造によって形成されると共にサスペンションアームの端部を挟み込むように揺動可能に取り付けるための一対の取付壁を備えた鋳造サスペンションメンバの製造方法に関する。
【背景技術】
【０００２】
従来から、サスペンションアームやステアリングギヤボックスを支持するための部材としてサスペンションメンバが配設されている。一般にはサスペンションメンバは鋼板をプレス成形することによって製作されるが、昨今では軽量化の観点からサスペンションメンバをアルミニウム合金等を使って鋳造で製作することに対するニーズが高まっている。
【特許文献１】特開平１１−１１５７９６号公報
【発明の開示】
【発明が解決しようとする課題】
【０００３】
ところで、サスペンションアームのサスペンションメンバへの取付構造として、アーム先端に圧入されたブッシュをサスペンションメンバに形成された一対の取付壁の間に挟み込むように挿入配置し、ボルト及びナットで揺動可能に固定する構成を採ることがある。
【０００４】
この場合、サスペンションアームからサスペンションメンバへの入力を考慮すると、一対の取付壁の板厚を厚くする等して強度を高めることが望ましい。
【０００５】
しかし、一対の取付壁の板厚を厚くすると、サスペンションアームを一対の取付壁間に組付けた際に比較的大きな組付応力が発生するという問題が生じる。より詳しく説明すると、サスペンションアームの一対の取付壁への組付を可能とするためには、一対の取付壁の対向面間の距離をブッシュの軸長よりも若干大きめに設定し、各取付壁の内側の面とブッシュの軸方向の端面との間に僅かな隙間をそれぞれ設定する必要がある。
【０００６】
ところが、前記隙間を設定した場合、ボルトをナットへ締め込むと、一対の取付壁が隙間の分だけ互いに接近する方向へそれぞれ変形することになるが、サスペンションアームからの入力を考慮して取付壁の板厚を厚くすると、板厚の増加に伴って取付壁の変形部位に生じる組付応力も大きくなる。特に鋳造サスペンションメンバの場合、プレス成形品のサスペンションメンバよりも元々疲労強度が低いため、組付応力が大きくなるのは好ましくない。
【０００７】
上述したように、鋳造サスペンションメンバの場合、サスペンションアームからサスペンションメンバへの入力に対する強度確保とサスペンションアームをサスペンションメンバへ組み付ける際に生じる組付応力の増加防止とは背反事項であり、両立させることが難しい。
【０００８】
本発明は上記事実を考慮し、サスペンションアームからサスペンションメンバへの荷重入力に対する強度確保とサスペンションアームのサスペンションメンバへの組付時に生じる組付応力の増加防止とを両立させることができる鋳造サスペンションメンバの製造方法を得ることが目的である。
【課題を解決するための手段】
【０００９】
請求項１記載の本発明に係る鋳造サスペンションメンバの製造方法は、サスペンションアームの端部を挟み込むように揺動可能に締結具で取り付けるための一対の取付壁を備えた鋳造サスペンションメンバの製造方法であって、成形型の鋳抜き方向を本来の抜き勾配分だけ片側へ振ることにより、一方の取付壁の外側の面を前記サスペンションアームの端部の取付面に対して平行にした、ことを特徴としている。
【００１０】
請求項１記載の本発明の作用は、以下の通りである。
【００１１】
サスペンションメンバにおける一対の取付壁の外側の面は、締結具で締結する際の座面となるから、両側ともサスペンションアームの端部の取付面に対して平行である必要がある。従って、従来では、成形型に形成される凹部の形状を抜き勾配を考慮したテーパ形状にして、成形後の二次加工で取付壁の外側の面及び内側の面をそれぞれ削り、これによりサスペンションアームの端部の取付面に対して外側の面を平行な面としていた。なお、この場合、鋳抜き方向は、垂直になる。換言すれば、従来では、鋳抜き方向を垂直にできる代わりに、一対の取付壁の外側の面及び内側の面のすべて（合計４面）について二次加工が必要となる製造方法であった。
【００１２】
しかし、本発明では、成形型の鋳抜き方向を本来の抜き勾配分だけ片側に振ることにより、一方の取付壁の外側の面をサスペンションアームの端部の取付面に対して平行にしたので、少なくとも一方の取付壁の外側の面については二次加工をしなくても、サスペンションアームの端部の取付面に対して平行な面を得ることができる。従って、その分、二次加工が不要となるので、製造工数の削減を図ることができ、コスト削減に資する。
【００１３】
また、上記の如くして鋳造サスペンションメンバを製造することから、一方の取付壁の板厚を他方の取付壁の板厚よりも厚くする等の手法を使うことにより、一方の取付壁の剛性を他方の取付壁の剛性よりも相対的に高くすることができる。そうすることにより、サスペンションアームからの入力に対する荷重分担が変化する。すなわち、一方の取付壁の方が他方の取付壁よりも荷重負担が大きくなる。つまり、一方の取付壁の方で、サスペンションアームからの入力に対する剛性を確保することができる。
【００１４】
逆に、サスペンションアームのサスペンションメンバへの組付時には、剛性が相対的に高い一方の取付壁は殆ど変形せず、剛性が相対的に他方の取付壁が組付方向に変形する。よって、組付時に生じる組付応力は、他方の取付壁の側により大きく発生することになるが、他方の取付壁は一方の取付壁よりも相対的に「柔」に構成されているため、発生する組付応力自体を抑えることができる。
【００１５】
上記より、サスペンションアームからサスペンションメンバへの荷重入力に対する強度確保とサスペンションアームのサスペンションメンバへの組付時に生じる組付応力の増加防止とを両立させ得る鋳造サスペンションメンバを製造するに際して、製造設備の大幅な変更を強いられることがない。
【発明の効果】
【００１６】
以上説明したように、請求項１記載の本発明に係る鋳造サスペンションメンバの製造方法は、サスペンションアームの端部を挟み込むように揺動可能に締結具で取り付けるための一対の取付壁を備えた鋳造サスペンションメンバの製造方法において、成形型の鋳抜き方向を本来の抜き勾配分だけ片側へ振ることにより、一方の取付壁の外側の面をサスペンションアームの端部の取付面に対して平行にしたので、サスペンションメンバの鋳造後の二次加工を削減することができ、その結果、サスペンションメンバの製造コストの削減並びに製造の容易化を図ることができるという優れた効果を有する。
【００１７】
また、請求項１記載の本発明に係る鋳造サスペンションメンバの製造方法によれば、上記の如くして鋳造サスペンションメンバを製造することから、一方の取付壁の板厚を他方の取付壁の板厚よりも厚くする等の手法を使うことにより、サスペンションアームからサスペンションメンバへの荷重入力に対する強度確保とサスペンションアームのサスペンションメンバへの組付時に生じる組付応力の増加防止とを両立させ得る鋳造サスペンションメンバを、製造設備の大幅な変更を強いられることなく、製造することができるという優れた効果を有する。
【発明を実施するための最良の形態】
【００１８】
〔第１実施形態〕
【００１９】
以下、図１〜図６を用いて、本発明に係る鋳造サスペンションメンバの製造方法によって製造された第１実施形態に係るフロントサスペンションメンバ１０について説明する。
【００２０】
図４には本実施形態に係るフロントサスペンションメンバ１０の全体構成を示す斜視図が示されており、又図１には当該フロントサスペンションメンバ１０の要部を裏面側から見て示す拡大斜視図が示されている。また、図２には当該フロントサスペンションメンバ１０の要部を示す縦断面図が示されており、更に図３には当該フロントサスペンションメンバ１０の要部を示す横断面図が示されている。
【００２１】
図４に示されるように、フロントサスペンションメンバ１０は、車両幅方向に沿って前後に平行に配置された一対のフロントサスペンションフロントクロスメンバ１２及びフロントサスペンションリヤクロスメンバ１４と、車両前後方向に沿って左右に平行に配置された一対のフロントサスペンションサイドメンバ１６、１８とを含んで構成されており、全体としては平面視で井型形状に形成されている。また、このフロントサスペンションメンバ１０は、アルミニウム合金を用いた鋳造（アルミダイキャスト）によって構成されている。
【００２２】
上述したフロントサスペンションメンバ１０におけるフロントサスペンションフロントクロスメンバ１２の前側にはステアリングギヤボックス２０（図３参照）が配設されるようになっており、又フロントサスペンションメンバ１０における両端部の外側には左右一対のフロントサスペンションアーム２２（図２参照）が揺動可能に軸支されるようになっている。
【００２３】
より具体的に説明すると、図１〜図３に示されるように、フロントサスペンションメンバ１０のフロントコーナー部には、各々プレート状に一体形成された前側取付ベース２４及び後側取付ベース２６が前後に平行に配置されている。これらの前側取付ベース２４及び後側取付ベース２６の外側の角部にはボルト挿通孔２８が同軸上に形成されており、当該ボルト挿通孔２８が形成された部分がフロントサスペンションアーム２２を取り付けるための前側アーム取付部３０及び後側アーム取付部３２とされている。かかる前側アーム取付部３０と後側アーム取付部３２との間にフロントサスペンションアーム２２の内端部に圧入されたブッシュ３４（図２参照）が挿入され、ボルト３６及びナット３８によって揺動可能に取り付けられている。
【００２４】
また、上述した前側取付ベース２４の内側の角部には、扁平な略円筒形状に形成されると共にステアリングギヤボックス２０を取り付けるためのギヤボックス取付部４２（図３参照）が一体に形成されている。ギヤボックス取付部４２の軸芯部には、ボルト挿通孔４３が形成されている。ステアリングギヤボックス２０は、左右一対のギヤボックス取付部４２へボルト４４及びナット４６によって固定されている。
【００２５】
ここまでの構成を総括すると、本実施形態に係る鋳造サスペンションメンバ構造では、フロントサスペンションメンバ１０における前側アーム取付部３０とギヤボックス取付部４２とが、車両幅方向に沿って立設状態で配置されたプレート状の前側取付ベース２４によって車両幅方向に相互に連結された構造となっている。さらに、上述した前側アーム取付部３０とギヤボックス取付部４２とは、プレス成形によって帯板状に形成された金属製（鋼板製）のプレート（ブレース）４８（図２参照）によって相互に連結されている。
【００２６】
ここで、図２等に示されるように、本実施形態では、上述したサスペンションアーム２２の端部を挟み込んだ状態で揺動可能に軸支する「一対の取付壁」としての前側取付ベース２４及び後側取付ベース２６の剛性比を異ならせている。より具体的に説明すると、サスペンションアーム２２からの入力Ｆの荷重作用方向側に位置する後側取付ベース２６の後側アーム取付部３２の板厚を、前側取付ベース２４の前側アーム取付部３０の板厚よりも厚くすることで、前者の剛性を後者の剛性よりも相対的に高めている。
【００２７】
さらに、図１に示されるように、後側取付ベース２６の後方側には、略面直角方向（略車両前後方向）に沿って一対の補強リブ５０が形成されている。これらの補強リブ５０の各前端部は後側取付ベース２６の後面側に接続されており、当該後側取付ベース２６をフロントサスペンションアーム２２からの入力に対して支持する機能を果たしている。
【００２８】
次に、本実施形態に係る鋳造によるフロントサスペンションメンバ１０の製造方法について説明し、その説明を通して本実施形態の作用並びに効果について説明する。
【００２９】
図５は従来のフロントサスペンションメンバの製造方法の概要を模式図で示したものであり、又図６は本実施形態に係るフロントサスペンションメンバ１０の製造方法の概要を模式図で示したものである。以下、両者を対比しながら、本実施形態に係るフロントサスペンションメンバ１０の製造方法について説明する。
【００３０】
従来では、図５（Ａ）に示されるように、最終的には後側取付ベース２６’を形成する凹部５４を下型５６に等脚台形状に形成していた。なお、下型５６に上型５８が合わされたときに形成される隙間６０は、前側取付ベース２４’を形成するためのものである。そして、鋳込み後、図５（Ｂ）に示されるように、下型５６及び上型５８を互いに離間する方向でかつ垂直方向を鋳抜き方向（矢印Ｐでこれを示す）として脱型し、一対の前側取付ベース２４’及び後側取付ベース２６’を備えた製品６２（フロントサスペンションメンバ）を得るというものであった。
【００３１】
この場合、製品６２に形成された後側取付ベース２６’は等脚台形状の断面を持つことになる。また、前側取付ベース２４’も傾斜した形状になる。そこで、ボルト３６及びナット３８による締結を可能とするために、二次加工によって、前側取付ベース２４’の内側の面２４’Ａ及び後側取付ベース２６’の内側の面２６’Ａ並びに前側取付ベース２４’の外側の面２４’Ｂ及び後側取付ベース２６’の外側の面２６’Ｂの合計４面をすべて垂直面に仕上げる。なお、前側取付ベース２４’の内側の面２４’Ａ及び後側取付ベース２６’の内側の面２６’Ａを垂直面にする必要があるのは、フロントサスペンションアーム２２のブッシュ３４の取付面と面接触するからである。また、前側取付ベース２４’の外側の面２４’Ｂ及び後側取付ベース２６’の外側の面２６’Ｂを垂直面にする必要があるのは、ボルト３６及びナット３８を締め込む際の締結座面となるからである。
【００３２】
従って、従来の製造方法によると、合計４面について二次加工が必要となり、その分だけ、製造工数が増えると共にコストもかかっていた。
【００３３】
これに対し、本実施形態に係るフロントサスペンションメンバ１２の製造方法では、図６に示されるように、下型６４と上型６６の鋳抜き方向を本来の抜き勾配分だけ片側（図６では、反時計方向）へ振ることにより、後側取付ベース２６の外側の面２６Ｂを最初から垂直面にすることができる。この場合、鋳抜き方向は垂直方向ではなく、図５（Ｂ）のθ分だけ図上反時計方向へ振られた矢印Ｑ方向となる。また、鋳抜き方向をθだけ振った分、後側取付ベース２６の内側の面２６Ａは合計２θの傾斜面となる。
【００３４】
このように本実施形態では、後側取付ベース２６の外側の面２６Ｂについては二次加工をしなくても、フロントサスペンションアーム２２の端部のブッシュ３４の取付面に対して平行な面を得ることができるので、その分、二次加工が不要となる。従って、製造工数の削減を図ることができ、コスト削減に資する。また、最初から平行な面が形成されるため、加工精度を気にする必要もなくなる。従って、前側取付ベース２４及び後側取付ベース２６を備えたフロントサスペンションメンバ１０の製造が容易になる。
【００３５】
補足すると、本実施形態の場合、前側取付ベース２４の内側の面２４Ａ及び外側の面２４Ｂも垂直面にできるため、前記効果が得られる。ただ実際には、前側取付ベース２４の内側の面２４Ａはブッシュ３４の取付面が当接するため、平面度を高める等の理由から二次加工を行う。また、前側取付ベース２４の外側の面２４Ｂについては、本実施形態の場合、プレート４８が装着される関係で、やはり二次加工をしている。
【００３６】
更に補足すると、図２に二次加工の有無の様子が解るがように、二次加工前の状態を二点鎖線で示しておいた。前側取付ベース２４の内側の面２４Ａ及び外側の面２４Ｂの二次加工前の状態は二点鎖線ａ、ｂである。後側取付ベース２６の内側の面２６Ａの二次加工前の状態は二点鎖線ｃである。後側取付ベース２６の外側の面２６Ｂには二次加工は施されていない。
【００３７】
以上説明したように、本実施形態に係る鋳造サスペンションメンバ構造による場合、後側取付ベース２６の板厚を前側取付ベース２４の板厚よりも厚くしたので、フロントサスペンションアーム２２からの入力に対する荷重分担が変化する。すなわち、図２に示されるように、フロントサスペンションアーム２２からの入力Ｆに対し、後側取付ベース２６の荷重負担Ｆｒは、前側取付ベース２４の荷重負担Ｆｆよりも大きくなる（Ｆｒ＞Ｆｆ）。つまり、後側取付ベース２６の方で、フロントサスペンションアーム２２からの入力Ｆに対する剛性を確保することができる。
【００３８】
逆に、フロントサスペンションアーム２２のフロントサスペンションメンバ１０の前側取付ベース２４及び後側取付ベース２６への組付時には、剛性が相対的に高い後側取付ベース２６は殆ど変形せず、剛性が相対的に低い前側取付ベース２４が組付方向に変形する。よって、組付時に生じる組付応力は、前側取付ベース２４の側により大きく発生することになるが、前側取付ベース２４は後側取付ベース２６よりも相対的に柔に構成されているため、発生する組付応力自体を抑えることができる。なお、組付応力は、締結時に作用する荷重によって変形が生じる図２及び図３のＳ線矢視部に生じる。
【００３９】
総括すると、本実施形態に係る鋳造サスペンションメンバ構造によれば、フロントサスペンションアーム２２からフロントサスペンションメンバ１０への荷重入力に対する強度確保とフロントサスペンションアーム２２のフロントサスペンションメンバ１０への組付時に生じる組付応力の増加防止とを両立させることができる。
【００４０】
また、本実施形態に係る鋳造サスペンションメンバの製造方法による場合、フロントサスペンションメンバ１０の鋳造後の二次加工を削減することができ、その分だけ、フロントサスペンションメンバ１０の製造コストの削減並びに製造の容易化を図ることができる。
【００４１】
さらに、この製造方法による場合、基本的には鋳抜き方向を従来の型勾配分だけ片側へ振るというものであるから、（下型６４及び上型６６の形状は変更する必要があるものの）板厚が異なる一対の取付壁（前側取付ベース２４、後側取付ベース２６）を備えたフロントサスペンションメンバ１０を製造するに際して、製造設備の大幅な変更を強いられることがないというメリットがある。
【００４２】
〔第２実施形態〕
【００４３】
以下、図７及び図８を用いて、本発明に係る鋳造サスペンションメンバの製造方法によって製造された第２実施形態について説明する。なお、前述した第１実施形態と同一構成部分については、同一番号を付してその説明を省略する。
【００４４】
図７には、従来の鋳造方法でフロントサスペンションメンバ８０を製造した場合の問題点が示されている。図７（Ｂ）に示されるように、湯口８２からの鋳込み後に湯道８４を切断する場合、フロントサスペンションメンバ８０の前面に沿って過不足なく切断することは困難であるため、通常は切断線Ｒに沿って湯道８４を切断する。このとき、図７（Ａ）に示されるように、フロントサスペンションメンバ８０側に残った切残し部８６は、フロントサスペンションメンバ８０の前面の下縁に直線状に形成される。この切残し部８６がギヤボックス取付部４２と重なってしまうが、ギヤボックス取付部４２の隣接部位は元々応力集中が生じる高応力部８８となるため、この高応力部８８に切残し部８６が重なると、更に応力集中が生じるという課題があった。
【００４５】
これに対し、図８に示されるように、高応力部８８を避けるかたちで、切残し部９０を斜めに配置することにより、図７の切残し部８６とギヤボックス取付部４２とが重なることによる応力増加分を排除することができる。つまり、本実施形態に係るフロントサスペンションメンバ９２では、高応力部９４への応力集中を最小限に抑えることができる。
【００４６】
〔実施形態の補足説明〕
【００４７】
上述した各実施形態では、フロントサスペンションメンバ１０、９２に対して本発明に係る鋳造サスペンションメンバの製造方法を適用したが、これに限らず、リヤサスペンションメンバに本発明を適用することも可能である。
【００４８】
また、上述した第１実施形態では、後側取付ベース２６の板厚を前側取付ベース２４の板厚よりも厚くすると共に、後側取付ベース２６の剛性を高める補強リブ５０、５２を設定する構成を採ったが、これに限らず、いずれか一方のみを採用してもよい。さらに、前側取付ベース２４及び後側取付ベース２６のいずれを高剛性化するかについては、入力荷重との関係で適宜選択すればよい。概念的には、荷重分担に変化を付けるべく、高剛性部（厚肉部）と低剛性部（薄肉部）が設けられる構成であればよい。また、剛軟を付けるための構成は、板厚を異ならせる手法やリブの有無或いは多少を設定する手法以外の構成も含まれる。例えば、一方には開口部を形成し他方には開口部を形成しない等であってもよい。
【００４９】
さらに、上述した第２実施形態では、フロントサスペンションメンバ１０の前面にギヤボックス取付部４２が配置される構成に対して本発明を適用したが、これに限らず、種々の部材（例えば、操舵系部材、懸架系部材、エンジンマウント等）の取付座に対して本発明は適用可能である。
【図面の簡単な説明】
【００５０】
【図１】第１実施形態に係る鋳造サスペンションメンバ構造の要部を裏側から見て示す拡大斜視図である。
【図２】図１のフロントサスペンションメンバをフロントサスペンションアームの取付部位で切断した縦断面図である。
【図３】図１のフロントサスペンションメンバをフロントサスペンションアームの取付部位及びステアリングギヤボックスの取付部位の双方を含む平面で切断した横断面図である。
【図４】図１のフロントサスペンションメンバの全体構成を概略的に示す斜視図である。
【図５】従来の鋳造サスペンションメンバの製造方法を説明するための説明図である。
【図６】本実施形態に係る鋳造サスペンションメンバの製造方法を説明するための説明図である。
【図７】従来のゲート形成による問題点を説明するための説明図に係り、（Ａ）は正面図、（Ｂ）は平面図である。
【図８】本実施形態に係る鋳造サスペンションメンバ構造の構成を説明するための説明図に係り、（Ａ）は正面図、（Ｂ）は斜視図である。
【符号の説明】
【００５１】
１０      フロントサスペンションメンバ
２０      ステアリングギヤボックス
２２      フロントサスペンションアーム
２４      前側取付ベース（一方の取付壁）
２６      後側取付ベース（他方の取付壁）
３０      前側アーム取付部
３２      後側アーム取付部
３４      ブッシュ
３６      ボルト（締結具）
３８      ナット（締結具）
４２      ギヤボックス取付部（取付座）
５０      補強リブ
６４      下型（成形型）
６６      上型（成形型）
８４      湯道
９０      切残し部
９２      フロントサスペンションメンバ
Ｆ        入力
【図１】
2008201416.tif 000003
【図２】
2008201416.tif 000004
【図３】
2008201416.tif 000005
【図４】
2008201416.tif 000006
【図５】
2008201416.tif 000007
【図６】
2008201416.tif 000008
【図７】
2008201416.tif 000009
【図８】
2008201416.tif 000010